(57)【要約】【課題】葉書用紙を２つ折り状態で剥離可能に仮接着させた状態からなる隠蔽葉書が、郵送後に受取人に届くまでの間に不正に見開かれ、その後に、再度２つに折り畳んで加圧機などで加圧して、剥離可能な接着剤により接着し元の葉書状態に戻した場合でも、一旦見開かれたことの履歴が残るようにして不正行為があってことを確認することができるようにした隠蔽葉書を提供する。【解決手段】折り畳み線で連接された葉書上紙片と葉書下紙片とからなる矩形状の基材シートの片面に、接着後に剥離可能な接着剤が塗布され、前記基材シートが前記折り畳み線から前記接着剤が塗布された部分を内側にして２つ折りされ、前記葉書上紙片と前記葉書下紙片が剥離可能に接着された隠蔽葉書であって、前記葉書上紙片と前記葉書下紙片とが重ねられた紙片の角部が、接着後に剥離しない性質の強接着剤で強接着されていることを特徴とする。【選択図】        図１
2012121236.tif 000002
【特許請求の範囲】
【請求項１】
折り畳み線で連接された葉書上紙片と葉書下紙片とからなる矩形状の基材シートの片面に、接着後に剥離可能な接着剤が塗布され、前記基材シートが前記折り畳み線から前記接着剤が塗布された部分を内側にして２つ折りされ、前記葉書上紙片と前記葉書下紙片が剥離可能に接着された隠蔽葉書であって、
前記葉書上紙片と前記葉書下紙片とが重ねられた紙片の角部が、接着後に剥離しない性質の強接着剤で強接着されていることを特徴とする隠蔽葉書。
【請求項２】
前記強接着剤が、剥離後に再度接着不能な性質を有する接着剤により構成されていることを特徴とする請求項１記載の隠蔽葉書。
【請求項３】
前記強接着剤が、前記重ねられた紙片の角部のうち、２つ折りされた折部側を除く他の１箇所の角部に設けられていることを特徴とする請求項１記載の隠蔽葉書。
【発明の詳細な説明】
【技術分野】
【０００１】
本発明は、葉書用紙が折り畳まれ、剥離可能な接着剤により接着された状態を有する隠蔽葉書に関する。
【背景技術】
【０００２】
従来、葉書用紙を２つ折り状態で剥離可能に仮接着させた状態からなるいわゆる隠蔽葉書が多く使用されている。（特許文献１〜３、参照）
これらの隠蔽葉書では、葉書サイズの２倍の大きさを有する葉書用紙の一方の面に、接着後に剥離可能な性質を有する接着剤を塗布させ、その葉書用紙の略中央部分から２つ折りして加圧するなどして、内部に記載された情報が受取人に届く前に第三者が見られない状態として郵送することができる。
【０００３】
このような構成の隠蔽葉書は、情報を記載した用紙を封筒に入れて送る場合に比べて郵便コストも安くなることから、例えば金融機関などの定期預金の満期のお知らせなどに広く用いられている。
しかしながら、この葉書が郵送された後、第三者が不正にこれらの隠蔽葉書を見開いて内部に記載された情報を盗み見た場合でも、その第三者が再度２つに折り畳んで加圧機で加圧すれば、剥離可能な接着剤により接着されて元の葉書状態に戻せることから、情報のセキュリティー上の問題があった。
この場合、特に開封履歴として不正に一旦見開らかれたこと自体が証拠として残らないために、情報漏洩の不正行為が継続的に行なわれたとしても、本来の受取人がいつまでも気づかないという問題がある。
【先行技術文献】
【特許文献】
【０００４】
【特許文献１】特開平８−１１８８４９号公報
【特許文献２】特開平９−５８１５９号公報
【特許文献３】特開平９−１９３５７２号公報
【発明の概要】
【発明が解決しようとする課題】
【０００５】
そこで、本発明は、葉書用紙を２つ折り状態で剥離可能に仮接着させた状態からなるいわゆる隠蔽葉書が、郵送後に受取人に届くまでの間に不正に第三者によって見開かれ、その後に、再度その第三者が２つに折り畳んで加圧機などで加圧して、剥離可能な接着剤により接着し元の葉書状態に戻した場合でも、一旦見開かれたことの履歴が残るようにして不正行為があってことを確認することができるようにした隠蔽葉書を提供する。
【課題を解決するための手段】
【０００６】
本発明の隠蔽葉書は、折り畳み線で連接された葉書上紙片と葉書下紙片とからなる矩形状の基材シートの片面に、接着後に剥離可能な接着剤が塗布され、前記基材シートが前記折り畳み線から前記接着剤が塗布された部分を内側にして２つ折りされ、前記葉書上紙片と前記葉書下紙片が剥離可能に接着された隠蔽葉書であって、前記葉書上紙片と前記葉書下紙片とが重ねられた紙片の角部が、接着後に剥離しない性質の強接着剤で強接着されていることを特徴とする。
【０００７】
また、本発明の隠蔽葉書は、前記強接着剤が、剥離後に再度接着不能な性質を有する接着剤により構成されていることを特徴とする。
【０００８】
更に、本発明の隠蔽葉書は、重ねられた紙片の角部のうち、２つ折りされた折部側を除く他の１箇所の角部に設けられていることを特徴とする。
【発明の効果】
【０００９】
したがって、本発明の隠蔽葉書は、隠蔽葉書が、郵送後に受取人に届くまでの間に不正に第三者によって見開かれ、その後に、再度その第三者が２つに折り畳んで加圧機などで加圧して、剥離可能な接着剤により接着し元の葉書状態に戻した場合でも、重ねられた葉書上紙片と葉書下紙片の間の少なくとも１つの角部分の領域に、接着後に剥離しない性質の強接着剤が塗布され、前記強接着剤により少なくとも１つの角部分で強接着されているので、その角部分だけは再度接着されないまま剥離状態となることから、隠蔽葉書の受取人がその角部分の接着の有無を確認するだけで、不正に見開かれたか否かをしることができるこという効果がある。
【図面の簡単な説明】
【００１０】
【図１】本発明の実施形態に係る隠蔽葉書を作成するための葉書用紙を示す斜視図である。
【図２】図１のＡ−Ａ線断面図である。
【図３】本発明の実施形態に係る隠蔽葉書を示す斜視図である。
【図４】図３のＢ−Ｂ線断面図である。
【図５】本発明の実施形態に係る隠蔽葉書の一部を見開いた状態を示す斜視図である。
【発明を実施するための形態】
【００１１】
以下、本発明の実施形態に係る隠蔽葉書を図面に基づいて詳細に説明する。
図１及び図２に示すように、本発明の実施形態に係る隠蔽葉書１は、それぞれ略葉書サイズの大きさを有する葉書上紙片２ａと葉書下紙片２ｂとが連接された基材シート２からなる。
基材シート２の左右方向の略中央には立て方向に折り畳用のミシン目３が形成され、この折り畳用のミシン目３から基材シート２が２つに折り畳まれる。
基材シート２の片面であって、折り畳用のミシン目３から基材シート２が２つに折り畳まれる内側となる面には、接着後に剥離可能な接着剤４が塗布されている。
【００１２】
これらの接着後に剥離可能な接着剤層５ａ，５ｂ，５ｃ，５ｄに用いる接着剤である感圧性接着剤の一例としては、密着面の密着及び再剥離を容易にするように調整されており、以下に説明する粘着主剤、粘着力調整剤、添加物等が以下の割合で混合されている。
粘着主剤          １００重量部
粘着力調整剤
針状物質の場合        １０〜１００（好ましくは１０〜５０）重量部
微粒状物質の場合      ０〜５０（好ましくは５〜３０）重量部
上記両物質混合の場合  １０〜１００重量部
添加物
ワックス              ０．０１〜２０重量部
紫外線吸収剤          微量
消泡剤                微量
消泡助剤              微量
エマルジョン化成分
水                    １００〜５００（好ましくは２００〜３００）重量部
乳化剤                ０．５〜２重量部
樹脂                  １〜５０重量部
【００１３】
粘着主剤は、天然ゴム（ＮＲ）、エステル化天然ゴム、スチレンブタジエンゴム（ＳＢＲ）、クロロプレンゴム、ポリ酢酸ビニル、ポリメチルメタクリレート（ＰＭＭＡ）等が挙げられ、または、これらの混合物が挙げられる。
これらの粘着主剤の混合にあたっては、その混合割合を適宜調整することによって、感圧粘着剤同士の自着性を保持しつつ、基材との密着性を自着性より大きくすることができる。
【００１４】
好ましくは、加圧によって感圧粘着剤同士の自着性を発現する性質の高い天然ゴムに、基材との密着性、即ちアンカー効果を高める目的でポリメチルメタクリレートやスチレンブタジエンゴムを添加したものが挙げられる。
ポリメチルメタクリレートは単独で用いるより、他の粘着主剤と混合して用いるとよい。
このような粘着主剤は、通常粒径０．１μｍ〜３μｍ程度の微粒状のものが使用される。
【００１５】
粘着力調整剤は、粘着主剤の粘着力を調整するために混合され、針状物質若しくは微粒状物質又はこれらの混合物が用いられる。
また、針状物質としては、無機物質、有機物質のいずれでもよく、その形状が略針状であればよく、偏平状、螺旋状、鱗片状等の様々な形態を持つものから任意に選択されるが、針状物質が特に好適である。
針状物質として、平均長さは１０μｍ〜２０μｍ、また平均径としては０．２μｍ〜０．５μｍ程度のものが好ましい。
針状物質は、感圧粘着剤をエマルジョンとし、塗布剤とした時の沈降性を低くするために見掛け比重が０．０５〜０．６のものが好ましい。
【００１６】
微粒状物質は、マイクロシリカ、合成ゼオライト、活性アルミナゲル、炭酸カルシウム、酸化亜鉛、酸化チタン、タルク、クレー、カオリン、活性白土、アクリルビーズ、澱粉、セルロース、シラスバルーン等が挙げられ、その粒径は、１０μｍ〜３０μｍ、好ましくは０．５μｍ〜１０μｍの範囲にあるものが好適である。
また、針状物質と共に添加することにより、微粒状物質の添加量を少なくすることができると共に微粒状物質の粉落ちを防止することができる。
【００１７】
添加物として、ハンドリング性、ＮＩＰの搬送性能等の滑り性向上又は耐ブロッキング性向上のために、ポリエチレンワックス、カルナウバワックス等のワックス類、劣化防止のために、アンモニア、エタノールアミン等の紫外線吸収剤などを添加してもよい。
また、消泡剤として、非イオン系界面活性剤、アニオン系界面活性剤（鉱物油系）を添加したり、さらに、消泡助剤として、シリカ等を添加してもよい。
【００１８】
前述した粘着主剤、粘着力調整剤、添加物は、水等の媒体に分散してエマルジョン状態で基材に塗布される。
エマルジョン化の際には、必要に応じて乳化剤が添加される。乳化剤としては、オレイン酸石鹸、ひまし油カリウム石鹸、カゼイン、にかわ、ゼラチン等を使用できる。
また、エマルジョン化したときの粘着主剤の２次凝集防止のために、粘着主剤と親和性を有しない樹脂を添加することができる。
この樹脂としては、水分散性高分子ポリエステル、熱可塑性エラストマー、また、低密度ポリエチレン等の低分子ポリエチレン、アイオノマー、酢酸ビニル−オレフィン共重合体等が好適に使用できる。
【００１９】
このような感圧粘着剤の塗布量は、乾燥後で０．１ｇ／ｍ2〜１０ｇ／ｍ2、好ましくは１．０ｇ／ｍ2〜３．０ｇ／ｍ2が好ましい。
この範囲内であれば、感圧粘着剤上から印刷あるいは印字した時にインキが感圧粘着剤中を透過し、基材にまで到達させることができ、剥離した場合の印字層の転移を防止できる。
更には、ブロッキング、パイリング（粉落ち）等も防止でき、充分な密着性と印字性が得られる。
【００２０】
また、接着後に剥離可能な接着剤層５ａ，５ｂ，５ｃ，５ｄに用いる接着剤である感圧性接着剤の他の例としては、例えば天然ゴム１００重量部に対して、スチレン２重量部とメタクリル酸メチル１０重量部とをグラフト共重合させて得られた天然ゴムラテックスに、テルペン樹脂系粘着付与剤５重量部を添加して感圧性のベース接着剤とし、更にこのベース接着剤１００重量部に対して、平均粒径５μｍのシリカゲル２０重量部を添加してなるものなどがあるが、この他にも種々の感圧性接着剤を用いることができる。
【００２１】
また、図１に示すように、葉書上紙片２ａの右下側の角部には、コーナーカット５が形成されている。
このコーナーカット５は、基材シート２を折り畳用のミシン目３から２つに折り畳んで加圧し接着状態の葉書とした場合に、コーナーカット５の部分から重ね合わされた葉書上紙片２ａと葉書下紙片２ｂを剥離する際に指で摘むなどして見開きやすくするために形成されている。
【００２２】
また、図１及び図２に示すように、葉書上紙片２ａの左上端の角部の領域と、葉書下紙片２ｂの右上端の角部の領域には、接着後に剥離しない性質の強接着剤６ａ，６ｂが塗布されている。
この強接着剤は、重ねられた葉書上紙片２ａと葉書下紙片２ｂの少なくとも１つの角を中心とした外周の２辺を含む三角形状の領域に設けられている。
そして、この強接着剤６ａ，６ｂが塗布されているそれぞれの領域は、基材シート２を折り畳用のミシン目３から２つに折り畳んだ際に重なる領域となっている。
したがって、本発明の隠蔽葉書１は、基材シート２の一方の面上に、接着後に剥離可能な接着剤４と、接着後に剥離しない性質の強接着剤６ａ，６ｂがそれぞれ塗布されている領域がある。
【００２３】
本発明の隠蔽葉書１は、図３及び図４に示すように、基材シート２が折り畳用のミシン目３から２つに折り畳まれ、加圧されることで、基材シート２の一方の面上に塗布されている接着後に剥離可能な接着剤４と、接着後に剥離しない性質の強接着剤６ａ，６ｂにより接着状態となって葉書が構成されている。
尚、接着後に剥離しない性質の強接着剤６ａ，６ｂは、必ずしも加圧により接着する性質の接着剤でなくてもよく、接着後に剥離しない性質を有する従来から公知の強接着剤を用いることができる。
【実施例】
【００２４】
９０ｋｇの用紙（商品名：ＤＦカラーＭ/三菱製紙社製）からなる基材シート２の表裏面に対して、ＵＶ硬化型のオフセットインキを用いて文字や絵柄からなる所望の印刷を行った。
次に、接着後にも剥離可能な感圧性接着剤（商品名：プラスサイズＯＰ５２５０/互応化学社製）を用いて、基材シート２の左右側の上方の角部分の領域を除く他の領域上面に塗布量４〜８ｇ/ｍ2で塗布を行った。
また、強接着剤である感圧性接着剤（商品名：ＡＱ５５３/日本ＮＳＣ社製）を用いて、基材シート２の左右側の上方の角部分の領域上面に塗布量４〜８ｇ/ｍ2で塗布を行った。
【００２５】
そして、基材シート２をその左右方向の中央部分から２つに折り畳んだ後、圧力（２００ｇ/６以下）を加えることでそれぞれの感圧性接着剤により接着させて葉書を作成した。
上記のように２つに折りされた葉書をコーナーカット５の部分から剥離させたところ、剥離可能な感圧性接着剤が塗布された部分は用紙の表面が傷つかない状態でめくり上げられたが、基材シート２の左右側の上方の角部分の領域上面に、接着後に剥離しない性質を有する強接着剤である感圧性接着剤が塗布された部分の領域では、用紙の表面が剥ぎ取られ傷ついた状態が生じた。
【００２６】
上記のように、本発明の隠蔽葉書は、基材シート２が２つに折り畳まれた状態の葉書をコーナーカット５の部分から剥離できるが、その一部分に強接着剤である感圧性接着剤により強接着された部分が設けられていることで、２つに折り畳まれた基材シート２を一旦剥離させた場合に、強接着された部分において用紙表面に傷がつくことで、不正にめくり上げられたことが確認できるように構成されている。
【符号の説明】
【００２７】
１  隠蔽葉書
２  基材シート
２ａ  葉書上紙片
２ｂ  葉書下紙片
３  折り畳用のミシン目
４  接着後に剥離可能な接着剤
５  コーナーカット
６ａ，６ｂ  接着後に剥離しない性質の強接着剤
【図１】
2012121236.tif 000003
【図２】
2012121236.tif 000004
【図３】
2012121236.tif 000005
【図４】
2012121236.tif 000006
【図５】
2012121236.tif 000007